(57)【要約】      （修正有）【課題】食器洗い機をシステムキッチンに収納した状態で、前方から前後位置を調整可能とし、食器洗い機に取り付けられる扉体と、システムキッチンの前面位置合わせを容易にした食器洗い機を提供する。【解決手段】筐体２２の前方への移動を規制する前方規制部材３１と、前方規制部材３１に回転自在で抜けないように固定された調整ネジ３３と、筐体前面に雌ねじ部３４とを設け、前記雌ねじ部３４に、前記調整ネジ３３を螺合して、前記筐体２２を前後に位置調整ができるように構成し、食器洗い機をシステムキッチンに収納した状態で、前方から食器洗い機の前後位置を調整可能とした。【選択図】図１
2013220172.tif 000002
【特許請求の範囲】
【請求項１】
筐体の前方への移動を規制する前方規制部材と、前記前方規制部材に回転自在で抜けないように固定された調整ネジと、前記筐体前面に雌ねじ部とを設け、前記雌ねじ部に、前記調整ネジを螺合して、前記筐体を前後に位置調整ができるように構成した食器洗い機。
【請求項２】
前方規制部材と雌ねじ部を前面左右に設けた請求項１記載の食器洗い機。
【請求項３】
前方規制部材と雌ねじ部を筐体下部に配置した請求項１または２記載の食器洗い機。
【請求項４】
筐体と、前記筐体の内部に設けられ前後に引き出し可能に構成され、前方に扉体を有する洗浄槽とを有し、前記扉体にドア面材が取り付けられ、前記調整ネジは、前面から見て前記ドア面材に隠れる位置に設けられた請求項１〜３のいずれか１項記載の食器洗い機。
【発明の詳細な説明】
【技術分野】
【０００１】
本発明は食器類を洗浄、乾燥するビルトインタイプの食器洗い機に関するものである。
【背景技術】
【０００２】
従来、この種の食器洗い機は図５ように構成している（例えば、特許文献１参照）。図５は、システムキッチンに組み込まれた従来の食器洗い機の側面断面図で、システムキッチンに組み込まれた状態を示すものである。図５において、前方に第１の開口部１を有する筐体２はシステムキッチンに収納され、筐体２の内部に設けられた洗浄槽３は、前方に第１の開口部１を覆う扉体４と、上方に第２の開口部５を有し、内部に食器類６を収容する食器かご７を配置している。食器かご７の下方には洗浄ノズル８を回転自在に設けており、洗浄槽３内に溜めた洗浄水をポンプ９によって循環させ、洗浄ノズル８より噴射して食器類６を洗浄する。洗浄槽３の左右側部の外側下方にはレール１０が配設され、洗浄槽３は、前後方向へ移動可能に筐体２の左右側面の内側で支持され、筐体２から引き出すことができるように構成されている。
【０００３】
使用者は、扉体４に一体的に形成された把手部１１をつかみ、洗浄槽３を前方に引き出し、第２の開口部５より食器類６の出し入れを行う。筐体２内の上部空間には第２の開口部５を封止する内蓋１２が設けられ、洗浄槽３が筐体２内に収納される時に、筐体２内の上部空間に待機していた内蓋１２が、筐体２の左右側面の内側に配したリンク機構１３等により後方へ移動しつつ降下して第２の開口部５を閉塞するよう構成されている。
【０００４】
また、扉体４の前面には、システムキッチンの収容棚等に使用されるものと同じドア面材１４を取り付け可能とし、収納後の一体感が得られるようにしている。
【０００５】
また、筐体２の背面下部には、システムキッチンの収納設置面１５に、洗浄槽３の出し入れの際に食器洗い機が後方へ移動するのを規制するとともに、洗浄槽を引き出した時の重みで筐体の後部が浮き上がるのを防止する後方規制部材１６が複数個のネジ（図示せず）により固定されている。また、筐体２の前面下部の左右には、同じく食器洗い機が前方へ移動するのを規制する前方規制部材１７が、収納設置面１５に固定された前方取付け部材１８を介して、複数個のネジ（図示せず）により固定されている。また、後方規制部材１６と前方取付け部材１８の収納設置面１５に固定するためのネジ穴は、前後に複数個設けたり、長穴にしたりすることで、システムキッチンの前面に食器洗い機の前後位置を調整できるよう構成している。
【０００６】
食器洗い機は、使用者によって洗浄槽３が筐体２内に収納され、運転を開始されると、洗浄槽３の底部に配置されたヒータ１９によって洗浄水を加熱しながら、洗浄ノズル８から食器類６に向かって噴射し、食器類６の汚れを落とす洗浄行程を行う。その後、食器類６をすすいだ後、排水を行い、洗浄槽３内の空気をヒータ１９によって暖めつつ、送風手段２０によって排気する乾燥行程を行って運転を終了する。
【先行技術文献】
【特許文献】
【０００７】
【特許文献１】特開２００２−０１７６４３号公報
【発明の概要】
【発明が解決しようとする課題】
【０００８】
食器洗い機の設置において、システムキッチンへ食器洗い機を収納したときに、周囲の
引き出し等との一体感が得られるようにするため、ドア面材１４の前面位置合わせへの要求が厳しく求められている。しかしながら、前記従来の構成では、筐体２の後部に設けた後方規制部材１６と、前面に設けた前方取付け部材１８の位置で固定されているため、収納された状態で前後位置を調整できず、この要求に対しては、一度食器洗い機をシステムキッチンから取り外し、後方規制部材１６の位置を修正し、再度収納し、前方取付け部材１８の位置を修正する必要がある。そして、場合によってはこの調整作業を繰り返す必要があり、非常に時間と手間が掛かるという課題を有していた。
【０００９】
本発明は、上記従来の課題を解決するもので、食器洗い機をシステムキッチンに収納した状態で、前方から食器洗い機の前後位置を調整可能とし、食器洗い機に取り付けられる扉体とシステムキッチンとの前面位置合わせを容易にすることができることを目的とする。
【課題を解決するための手段】
【００１０】
前記従来の課題を解決するために、本発明の食器洗い機は、筐体の前方への移動を規制する前方規制部材と、前記前方規制部材に回転自在であり、かつ抜けないように設けられた調整ネジと、前記筐体前面に雌ねじ部とを設け、前記雌ねじ部に、前記調整ネジを螺合して、前記筐体を前後に位置調整ができるように構成したものである。
【００１１】
これによって、食器洗い機をシステムキッチンに収納した状態で、前方から食器洗い機の前後位置を調整可能とし、食器洗い機に取り付けられる扉体とシステムキッチンとの前面位置合わせを容易にすることができる。
【発明の効果】
【００１２】
本発明の食器洗い機は、食器洗い機をシステムキッチンに収納した状態で、前方から食器洗い機の前後位置を調整可能とし、食器洗い機に取り付けられる扉体とシステムキッチンとの前面位置合わせを容易にすることができる。
【図面の簡単な説明】
【００１３】
【図１】本発明の実施の形態１におけるシステムキッチンに組み込まれた食器洗い機の側面断面図
【図２】同食器洗い機の洗浄槽が引き出された状態の側面断面図
【図３】同食器洗い機の要部を透視した正面図
【図４】同食器洗い機の要部側面断面図
【図５】システムキッチンに組み込まれた従来の食器洗い機の側面断面図
【発明を実施するための形態】
【００１４】
第１の発明は、筐体の前方への移動を規制する前方規制部材と、前記前方規制部材に回転自在であり、かつ抜けないように固定された調整ネジと、前記筐体前面に雌ねじ部とを設け、前記雌ねじ部に、前記調整ネジを螺合して、前記筐体を前後に位置調整ができるように構成したことにより、食器洗い機をシステムキッチンに収納した状態で、前方から食器洗い機の前後位置を調整可能とし、食器洗い機に取り付けられる扉体と、システムキッチンの前面位置合わせを容易にすることができる。
【００１５】
第２の発明は、第１の発明において、前方規制部材と雌ねじ部を前面左右に設けたことにより、食器洗い機が収容されるシステムキッチンの左右の収納棚等の前面位置に、扉体の左右の前面位置を容易に合わせることができる。
【００１６】
第３の発明は、第１〜第２の発明のいずれかにおいて、前方規制部材と雌ねじ部を筐体下部に配置したことにより、設置面との距離を近づけ、調整ネジによる筐体の移動による
摩擦を緩和させて、スムースに位置の調整することができる。
【００１７】
第４の発明は、第１〜第３の発明のいずれかにおいて、筐体と、前記筐体の内部に設けられ前後に引き出し可能に構成され、前方に扉体を有する洗浄槽とを有し、前記扉体にドア面材が取り付けられ、前記調整ネジは、前面から見て前記ドア面材に隠れる位置に設けられたことにより、システムキッチンへ食器洗い機を収納したときに、大きな隙間やネジなどの余計なものが見えず、周囲の引き出し等との一体感が得られる。
【００１８】
以下、本発明の実施の形態について、図を参照しながら説明する。なお、この実施の形態によって本発明が限定されるものではない。
【００１９】
（実施の形態１）
図１〜図３は、本発明の第１の実施の形態における食器洗い機を示すものである。図１において、前方に第１の開口部２１を有する筐体２２の内部に洗浄槽２３が設けられる。洗浄槽２３は、前後に引き出し可能に構成され、前方に第１の開口部２１を覆う扉体２４と、上方に第２の開口部２５が設けられている。洗浄槽２３の内部には、食器類２６を載置する食器かご２７が配置されている。
【００２０】
扉体２４の前面には、システムキッチンの収納棚等に使われるものと同じドア面材２８を取り付け可能となっており、収納後の一体感が得られる構成となっている。
【００２１】
また、筐体２２の後方下部のシステムキッチンの収納設置面２９に、後方規制部材３０が複数個のネジ（図示せず）により固定されている。後方規制部材３０は、筐体２２の前方からの移動により、筐体２２の背面下部に形成された係止孔３０ａに摺動自在に挿入され、食器洗い機が所定の位置より後方へ移動するのを規制するとともに、洗浄槽２３が引き出された時に洗浄槽２３の重みで筐体２２の後部が浮き上がるのを防止している。さらに、前方下部の左右には、同じく食器洗い機が前方へ移動するのを規制する前方規制部材３１が、収納設置面２９に複数個のネジ（図示せず）により固定された前方取付け部材３２に、複数個のネジ（図示せず）で固定されている。
【００２２】
図４において、前方規制部材３１には、筐体２２の前方から回転自在であり、かつ抜けないように固定された調整ネジ３３が設けられている。調整ネジ３３は、筐体２２の前面下部に設けられた左右の雌ねじ部３４に螺合し、調整ネジ３３が回転することで、収納設置面２９に固定された前方取付け部材３２に対して、雌ねじ部３４すなわち筐体２２が前後に移動するよう構成されている。
【００２３】
また、図３に示すように、前方規制部材３１に設けられた調整ネジ３３は、ドア面材２８を取り付けた後は、前面から見て隠れる位置に設けられ、洗浄槽２３を引き出すことで現れ、調整ができるよう構成されている。
【００２４】
以上のように構成された食器洗い機について、以下その動作、作用を説明する。まず、食器洗い機をシステムキッチンに設置する前に、収納設置面２９の奥の所定の位置に後方規制部材３０と、収納設置面２９の前方の所定の位置に前方取付け部材３２とをそれぞれ複数個のネジ（図示せず）によって固定する。このとき、後方規制部材３０と前方規制部材３１との間隔が筐体２２の奥行き寸法より大きくなるように前方取付け部材３２を取り付けることで、後の調整代を確保する。
【００２５】
次に配管、配線を行いつつ、筐体２２の背面下部に形成された係止孔３０ａに後方規制部材３０が挿入されるように前方から滑り込ませて、食器洗い機を収納設置面２９に組み込む。そして、筐体２２の前面において、前方取付け部材３２に前方規制部材３１を取り
付け、前方規制部材３１に固定された調整ネジ３３を、筐体２２の左右下部に設けた雌ねじ部３４と螺合する。
【００２６】
次に、扉体２４にドア面材２８を固定し、一旦、左右の収納棚等と、ドア面材２８の前面位置を確認する。位置が合わない場合は、扉体２４と一体の洗浄槽２３を引き出し、調整ネジ３３を回転させて調整をする。調整ネジ３３は前方規制部材３１に回転自在であり、かつ抜けないように固定されているため、前方から調整ネジ３３を締め付けることで、筐体２２に設けた雌ねじ部３４が引き寄せられて筐体２２が前方へ移動し、緩めることで逆に雌ねじ部３４が押し込まれて筐体２２は後方へ移動する。
【００２７】
これにより、システムキッチンへ収納した状態で筐体２２の前後位置を調整することができ、左右の収納棚等とドア面材２８の前面位置を、食器洗い機を取り出すことなく容易に合わせることができる。
【００２８】
また、雌ねじ部３４を左右に設けたことによって、システムキッチンの左右の収納棚等の前面位置に、扉体２４に取り付けたドア面材２８の左右の前面位置をそれぞれ調整することができる。
【００２９】
また、雌ねじ部３４を筐体２２の下部に配置し、収納設置面２９に近接して設けていることで、調整ネジ３３を回転させて調整するときには、収納設置面２９に略平行に力がかかるため、筐体２２と収納設置面２９に生ずる摩擦力を低減することができ、調整をスムースにすることができる。
【００３０】
さらに、調整ネジ３３は、ドア面材２８を取り付けた後は前面から見て隠れる位置に設けられることにより、システムキッチンへ食器洗い機を収納したときに、大きな隙間やネジなどの余計なものが見えず、周囲の引き出し等との一体感が得られる。
【００３１】
なお、本実施の形態１では、食器洗い機をシステムキッチンの収納設置面２９へ収納性する作業性の面から、前方規制部材３１と前方取付け部材３２とを別部品としたが、一体の部品としても良い。また、調整ネジ３３を前方規制部材３１に回転自在で抜けないように固定する方法としては、Ｅリングやワッシャーなどの使用で可能であるが、特に限定するものではない。
【産業上の利用可能性】
【００３２】
以上のように、本発明にかかる食器洗い機は、食器洗い機をシステムキッチンに収納した状態で、前方から食器洗い機の前後位置を調整可能とし、食器洗い機に取り付けられる扉体と、システムキッチンの前面位置合わせを容易にするので、システムキッチンにビルトインして使用されるタイプの食器洗い機等として有用である。
【符号の説明】
【００３３】
２２  筐体
２３  洗浄槽
２４  扉体
２８  ドア面材
３１  前方規制部材
３３  調整ネジ
３４  雌ねじ部
【図１】
2013220172.tif 000003
【図２】
2013220172.tif 000004
【図３】
2013220172.tif 000005
【図４】
2013220172.tif 000006
【図５】
2013220172.tif 000007